(57)【要約】      （修正有）【課題】天井作業において、落下物対策として行う養生や清掃作業を減少させる落下物収集装具を提供する。【解決手段】落下物収集具５、収集具を固定する固定具１、及び固定具を身体に取り付ける取付手段（ベルト６への取付金具２）を備える落下物収集装具であって、落下物収集具は軸材の一端部に複数の線状骨材を放射状に展伸可能に取り付け、複数の線状骨材に略円形のシートを取り付けて形成され、固定具は胸部から腹部に取り付けられる平板板材であって、中央部の上端部と下端部に前方に突出する軸材保持金具３、４を設け、作業をする際に、軸材保持金具に軸材を保持させて収集具を固定する。【選択図】図６
0003224788.tif 000002
【実用新案登録請求の範囲】
【請求項１】
落下物収集具、前記収集具を固定する固定具及び前記固定具を身体に取り付ける取付手段を備える落下物収集装具であって、前記落下物収集具は軸材の一端部に複数の線状骨材を放射状に展伸可能に取り付け、前記複数の線状骨材に略円形のシートを取り付けて形成されており、
前記固定具は胸部から腹部に取り付けられる平板板材であって、中央部の上端部と下端部に前方に突出する前記軸材保持金具を設け、作業をする際に、前記軸材保持金具に前記軸材を保持させることを特徴とする落下物収集装具。
【請求項２】
前記固定具の中央部の下端部に突出する前記軸材保持金具を軸材受止め保持金具とし、前記固定具の中央部の上端部に突出する前記軸材保持金具を軸材振れ止め金具とし、下端部の軸材保持箇所が上端部の軸材保持箇所より前方により突き出た位置にあることを特徴とする請求項１に記載の落下物収集装具。
【請求項３】
前記軸材と前記平板板材の中央部の中心線を結ぶ半径の左右略９０〜１２０度の間には前記線状骨材が取り付けられていない前記落下物収集具であることを特徴とする請求項１又は２に記載の落下物収集装具。
【考案の詳細な説明】
【技術分野】
【０００１】
天井作業において落下物を床面に落下する前に収集することのできる落下
物収集装具に関する。  
【背景技術】
【０００２】
既設建造物内において、一般的には事業所では、机や書類棚及び事務機器等が、住宅生活空間では、飯台、TV、家具等、が設置されており、このような状況下に消防法での感知器取り付け、取替えなどの天井作業を行うことになる。この場合においては、事前に事故のないように養生作業を行うことになる。この養生作業は、作業前養生と作業後の清掃、片づけに人手と手間がかかる。従って、作業費の費用が大きくなり、養生費が占める割合が大きい。
【考案の概要】
【考案が解決しようとする課題】
【０００３】
本考案の目的は、天井の作業において、事前の養生を極力減少させ、かつ、作業後の片づけも簡単することのできる落下物収集装具を提供することにある。
【課題を解決するための手段】
【０００４】
本考案は、第１に、落下物収集具、前記収集具を固定する固定具及び前記固定具を身体に取り付ける取付手段を備える落下物収集装具であって、前記落下物収集具は軸材の一端部に複数の線状骨材を放射状に展伸可能に取り付け、前記複数の線状骨材に略円形のシートを取り付けて形成されており、
前記固定具は胸部から腹部に取り付けられる平板板材であって、中央部の上端部と下端部に前方に突出する前記軸材保持金具を設け、作業をする際に、前記軸材保持金具に前記軸材を保持させることを特徴とする落下物収集装具を提供する。
また、本考案は、第２に、前記固定具の中央部の下端部に突出する前記軸材保持金具を軸材受止め保持金具とし、前記固定具の中央部の上端部に突出する前記軸材保持金具を軸材振れ止め金具とし、下端部の軸材保持箇所が上端部の軸材保持箇所より前方により突き出た位置にあることを特徴とする前記第１に記載の落下物収集装具を提供する。
また、本考案は、第３に、前記軸材と前記平板板材の中央部の中心線を結ぶ半径の左右略９０〜１２０度の間には前記線状骨材が取り付けられていない前記扇型落下物収集具であることを特徴とする前記第１又は第２に記載の落下物収集装具を提供する。
【考案の効果】
【０００５】
本考案による落下物収集装具によれば、天井作業において、作業前後の養生や清掃を行う手間を大きく削減することが可能となる。
【図面の簡単な説明】
【０００６】
【図１】本考案の扇型収集具を取り付ける固定具の正面図。
【図２】本考案の扇型収集具を取り付ける固定具の側面図。
【図３】本考案の扇型収集具を取り付ける固定具の平面図。
【図４】本考案の扇型収集具を固定具に取り付けた状態を表す概略図。
【図５】本考案の落下物収集装具を作業者が装着した平面図。
【図６】本考案の落下物収集装具の使用状況側面図。
【考案を実施するための形態】
【０００７】
本考案を図面に従って説明するが、本考案は、これらに限定されるものではない。１は作業者の胸から腹部に装着する固定具、２は固定具１を身体に取り付ける取付手段、３は軸材の嵌め込め溝を有する振れ止め金具、４は軸材の差し込み穴を有する受け止め金具、５は扇型収集具、６は道具保持ベルト、７は軸材、８は線状骨材、９はプラスチックや布製シートである。
【０００８】
固定具１は、８角形の平板であって、装着する身体の部位に合わせて、緩やかな曲面に仕上げられている。固定具１を身体に取り付ける取付手段２は固定具１の両側下端部に下方に向けて取り付けられた突起状のベルト通し金具であり、この金具を作業者が装着する道具保持ベルト６に差し込むだけで固定具１は簡単に身体に装着できる。前記道具保持ベルト６の代わりに通常作業者が着用しているズボンベルトを使用してもよい。また、この取付手段は固定具１自体にベルトを取り付けたものでも良い。
【０００９】
収集具５は、略円形のシート９と軸材７と前記シート９を支持する複数の線状骨材８から構成されており、軸材７の一端部に複数の線状骨材８を取り付けており、かかる線状骨材８には前記シート９が取り付けられている。軸材７は線状骨材取付側においてシート９の外側まで出ており、この軸材７の先端を受け止め金具４に差し込み、軸材７の他端を振れ止め金具へ嵌め込むと、線状骨材８は軸材７を中心に放射状に展伸し、シート９は略円形に広がり、傘を逆さにしたような形状が形成される。シート９の身体に当たる部分は軸材７と固定具１の中心線を結ぶ面から左右にそれぞれ略４５度から略６０度の範囲に相当し、この部分には線状骨材は取り付けられていない。従って、使用時のシートの形状は身体側の略９０度から略１２０度に亘って切欠き部分を有する扇型を呈し、軸材７部分に凹部の底を形成する。
【００１０】
固定具１に装着する振れ止め金具３と受け止め金具４は固定具１に対し垂線方向に取り付けられており、身体の前方に突出している。軸材７の固定具１への取付位置は受け止め金具側を振れ止め金具側よりも固定具１から離れたところに設定することにより、シート周縁部から凹部の底に向かう傾斜をつけることができる。このためには受け止め金具４の長さを振れ止め金具３より長くする。
収集具５のこのような形状により落下物を効率よくシート凹部底に収集することができる。
【実施例】
【００１１】
作業を行うときには、腰に装着した道具保持ベルト６に固定具１のベルト通し金具２を通して固定具１を作業者の胸部から腹部にかけて保持する。このため、固定具１は作業者の胴体の動きと連動させるが、手足は動きに制約されず、作業を遂行できる。固定具１は体の線に沿うように、やや丸みを帯びた形状に加工されている。扇型収集具５は、使用前は折りたたまれているが、長さ５５ｃｍの鋼材製軸材７の線状骨材取付側の一端部を固定具１の受け止め金具４（長さ２５ｃｍ）に差し込み、次に他端部を振れ止め金具３(長さ１５ｃｍ)に嵌め込むと線状骨材８（長さ５５ｃｍ）が放射状に拡がる。このことにより、折りたたまれていた半径５５ｃｍのビニルシートが開かれた状態となり、扇型の形状を呈する。
【００１２】
軸材７の受け止め金具４への取付位置を振れ止め金具３の取付位置よりも固定具１から離れた位置にすることにより、平面視扇型のシートに傾斜を持たせる凹部を形成ことができる。天井作業中に電線コード、壁材、部品破片等の落下物があると、これらの落下物はシートで自然に捕集されて、傾斜により作業者身体に近い凹部底で収集することができる。
従来の養生方法（ビニールシートで覆い、移動させた物を元に戻す、などの作業）と本考案のパラボラ型落下物収集装具を使用した場合では養生作業がなくなる分、５倍程度の作業効率が向上する。
【符号の説明】
【００１３】
１  扇型収集具を装着する固定具
２  固定具をベルトに装着するベルト通し金具
３  扇型収集具を固定具に装着する振れ止め金具
４  扇型収集具を固定具に装着する受け止め金具
５  扇型収集具
６  道具保持ベルト
７  軸材
８  線状骨材
９  シート
１０嵌め込み溝
１１差し込み孔
【図１】
0003224788.tif 000003
【図２】
0003224788.tif 000004
【図３】
0003224788.tif 000005
【図４】
0003224788.tif 000006
【図５】
0003224788.tif 000007
【図６】
0003224788.tif 000008
【手続補正書】
【提出日】令和1年11月12日(2019.11.12)
【手続補正１】
【補正対象書類名】実用新案登録請求の範囲
【補正対象項目名】全文
【補正方法】変更
【補正の内容】
【実用新案登録請求の範囲】
【請求項１】
落下物収集具、前記収集具を固定する固定具及び前記固定具を身体に取り付ける取付手段を備える落下物収集装具であって、前記落下物収集具は軸材の一端部に複数の線状骨材を放射状に展伸可能に取り付け、前記複数の線状骨材に略円形のシートを取り付けて形成されており、
前記固定具は胸部から腹部に取り付けられる平板板材であって、中央部の上端部に前方に突出する前記軸材の嵌め込み溝を有する振れ止め金具を設けるとともに、中央部の下端部に前方に突出する前記軸材の差し込み穴を有する受け止め金具を設け、作業をする際に、前記振れ止め保持金具と前記受け止め保持金具に前記軸材を保持させることを特徴とする落下物収集装具。
【請求項２】
前記固定具の中央部の下端部の軸材保持箇所が上端部の軸材保持箇所より前方により突き出た位置にあることを特徴とする請求項１に記載の落下物収集装具。
【請求項３】
前記軸材と前記平板板材の中央部の中心線を結ぶ半径の左右略９０〜１２０度の間には前記線状骨材が取り付けられていない前記落下物収集具であることを特徴とする請求項１又は２に記載の落下物収集装具。